(57)【特許請求の範囲】
【請求項１】
磁気テープが支持板上に配置された少なくとも１個の磁気記録／再生ヘッド上を走行し、該支持板は枢着軸周りに枢動自在であり且つこれに加えて、制御された枢動の結果２個の押圧ローラの内いずれかが対応するキャプスタンに対して押圧駆動されることができ、その選択によりテープ走行方向が規定されるように磁気テープに対して係合離脱自在になっている磁気テープカセット装置の逆転駆動装置において、
磁気ヘッドは支持板上に枢着軸周りに枢動することが出来るようにジャーナル軸受けされ、且つ支持板上の枢動位置と無関係に、磁気ヘッドを磁気テープに対して常に直角方向になるようにした複数の真直案内が枠体に備えられたことを特徴とする、磁気テープカセット装置の逆転駆動装置。
【請求項２】
真直案内の１つは磁気テープに対して直角方向に伸びる溝孔を備え、該案内は枠体に固着されており、磁気ヘッドが支持板上にジャーナル軸受され、且つヘッドサポートのピンが該溝孔に案内されている、請求項１に記載の磁気テープカセット装置の逆転駆動装置。
【請求項３】
磁気ヘッドの他の真直案内は、枠体に固着された案内ピンからなり、磁気ヘッドが再生位置に入った時に該ピンがヘッドサポートの保持スロット内に入り、磁気ヘッドを横方向レベル案内に合わせるようにした、請求項１又は２に記載の磁気テープカセット装置の逆転駆動装置。
【請求項４】
ヘッドサポートには枠体に固定された止め部とくさび状に係合される端縁が形成され、この端縁のくさび効果により、ヘッドサポート／磁気ヘッドが枠体とヘッドサポートとの間を駆動される時にプレイフリー状態での位置決めが可能になることを特徴とする、請求項１に記載の磁気テープカセット装置の逆転駆動装置。
【発明の詳細な説明】
【０００１】
【産業上の利用分野】
この発明は、磁気テープが１個の支持板上に配置された少なくとも１個の録音／再生ヘッド上を走行し、該支持板はヘッドに対して１つの枢軸周りを枢動自在であると共に磁気テープから離れるようにし、この枢動作用を制御するようにした結果、前記支持板上に配置された２個の加圧ローラの内いずれかがキャプスタンに対して押圧駆動され、それによりテープの駆動方向が規定されるようにした、磁気テープカセット装置の逆転駆動装置に関する。
【０００２】
【従来の技術】
実願昭５９−４５２７９号（実公平４−１８０９７号公報）には同種のテープ走行方向を逆にするための逆転駆動装置が開示されている。この種の逆転駆動装置は、駆動方向がテープの駆動通路内を往来している制御板内に配列された案内スロットにより規定され、サポートの往復運動がテープ巻き戻し位置と待機位置との間にある時に枢動の方向を決めるようにしている。
【０００３】
【発明が解決しようとする課題】
上記装置では磁気ヘッドはサポートに固着されている。従って磁気ヘッドはそれに固着された２個のテープ案内要素とともに回転するので、これら要素はテープの走行方向によってテープとの接触が違ってくる。４個のテープ案内を持った駆動方式はテープの走行特性を改良したものとされて来た。この４個のテープ案内を備えた磁気ヘッドが駆動中に回転するサポートとともに枢着軸周りを回転する時には、４個のテープ案内を備えることによってもたらされる改良点が確認出来なくなる。
【０００４】
本発明の目的は第１段落で述べた種類の装置において、たとえサポート即ち支持板が枢着軸周りに回転するにもかかわらず４個のテープ案内を用いることの効果が保持され、それに加えて磁気ヘッドのヘッド面における磁気ギャップがあらゆる枢動位置において、ヘッド面の中心から常に同一位置を保つようにすることである。
【０００５】
【課題を解決するための手段】
本発明によると、上記目的は磁気ヘッドが支持板上に枢着軸の周りに回転することが出来るようにジャーナル軸受により軸支され、また磁気ヘッドを支持板の軸支位置と独立して磁気テープに対し常に垂直になるようにように案内する真直の案内が用意されることにより達成される。磁気ヘッドの位置がこのように真直の案内により定められ、支持板の枢軸位置とは無関係になっているので、磁気テ
ープ、磁気ヘッド及びテープ案内要素の間の最も適切な接触状態が保持される。
【０００６】
本発明の更に他の実施例によれば、１個の真直案内は磁気テープに対し垂直方向に伸びる溝孔よりなり、この溝孔内にヘッドサポートのピンが案内され、支持板上の磁気ヘッドを軸受けする。このような真直案内は、他の要素によって占拠されていない領域に導入される。
【０００７】
本発明の更に他の実施例によれば、磁気ヘッドの他の１個の真直案内が枠体に固定された複数の案内ピンにより構成され、これらピンは、磁気ヘッドがテープ巻き戻し位置に入り該磁気ヘッドに横方向水準案内を提供する時に、ヘッドサポートの保持溝孔に入るようにする。
【０００８】
本発明の更に他の実施例によれば、ヘッドサポートは、枠体に固定された止め片とくさび状に係合される端縁を構成し、この端縁のくさび効果により、磁気ヘッドサポート／磁気ヘッドが枠体とヘッドサポートとの間を駆動される時に、プレイフリー状態での位置決めが可能になる。
【０００９】
【実施例】
本発明を以下に添付図面に表示した実施例に基づいて説明する。図１に示すように本発明による磁気テープカセット装置は、一方向駆動モータ３を支持板２上に載置した枠体１よりなる。モータ３の駆動ピニオンは、複数のフライホイール（図示せず）を反転駆動するようにアイドラーを介して掛け渡したロープを駆動させる。このフライホイールは枠体１にジャーナル軸受により軸支されている。上記フライホイールの内の１個は第１キャプスタン９に固着連結され、他のフライホイールは第２キャプスタン１０に固着連結される。さらに、最初のフライホイールは歯車１１に、他のフライホイールは歯車１２に連結される。さらに歯車１２と同軸のキャプスタン１０のフライホイール上にもう１個の歯車が摩擦カップリングを介して回転自在に配置され、スイッチングホイール１４と連続して係合する。このスイッチングホイール１４は軸１５周りに枢着されている。軸１５は１個の枢着アーム１６（図１に図式的に表示）を支持し、アーム上にスイッチングホイール１４が回転自在に軸支される。同様にして１個の歯車１７が歯車１１と係合される。この歯車１７は、図式的に示された枢着アーム１９によって軸１８周りに回転自在にされる。
【００１０】
図１に示すように、スプールハブ２０及び２１が枠体１内に回転軸受を有している。これらハブ２０及び２１は巻き取りホイールに固着連結されている。ハブ２０及び２１は摩擦カップリングを介して再生用ホイール２４、２５に連結している。早送りの巻き取り及び巻き戻しのために、２個のボタン３１及び３２が、図示されないがボタン機構３３及び３４を介して早送り及び早戻しを行うように配置される。
【００１１】
スタッド７１が用意され、葉状バネ７２に作用する。磁気ヘッド７５の支持板７４はスタッド７１及び葉状バネ７２によって、磁気テープ８８に対して移動することが出来る。この目的のために葉状バネ７２はその自由端を、押圧ローラ７８及び７９の軸受を備える保持具に対して押圧する。これら保持具は支持板７４のストッパ７４ａ、７４ｂ及び７６ａ、７６ｂに対して押圧される。図２及び図３に示すように、支持板７４は枢着スピンドル９０周りに枢動することが出来る。この枢動作用は図示されない制御機構によって行われる。
【００１２】
ヘッドサポート９１は枢着スピンドル９０上に回転軸受を有しており、支持板７４に対して枢動することが出来る。磁気ヘッド７５は、例えばクランプ操作によりヘッドサポート９１上に正確に位置付けされる。磁気ヘッド７５のいずれの側にも内側テープ案内９２とさらにその外側に配置されるテープ案内９２ｂが存在する。内側テープ案内９２は、ヘッドサポート９１が磁気ヘッド７５とともに磁気テープ８８の方向へ移行する時に案内ピン９３が入ることが出来る保持スロット９２ａを備えている。案内ピン９３は保持スロット９２ａと共に磁気テープとヘッド７５の間の接触領域の直ぐ近くの直接の案内を形成する。
【００１３】
上記ヘッドサポート９１は、その自由端９５にピン９６を保持した案内アーム９４が備えられる。ピン９６は、枠体に固着され案内レール９８の間に形成された溝孔９７の規定する領域で滑動する。枠体の溝孔９７は枠体１の端縁１ａに至るまで定常幅を有し、ピン９６を前記定常幅の領域で正確に案内することが出来るようになっている。溝孔９７はキャプスタン９及び１０とを結ぶ線分ａに対して直角方向に伸び、従って同じくキャプスタン９及び１０との間に張られたテープ８８に対しても直交する。支持板７４及び枢着スピンドル９０が磁気テープ８８の方へ直角に移行された時、溝孔９７内を滑動するピン９６は磁気ヘッド７５位置を磁気テープ及び前記線分ａに対して常に直角方向に保つ保証となる。溝孔９７は磁気テープ８８及び線分ａに対してフアンネル９９状に開口している。この配列は図２から図４にわたる説明の際に、さらに説明する。
【００１４】
図１は作動待機状態を示し、支持板７４は明瞭に磁気ヘッド７５を磁気テープ８８の作動領域から引き離している。この位置で、ピン９６は枠体の溝孔９７の下方端部領域９７ａにある。ヘッドサポート９１はピン９６により確実に案内され、磁気ヘッドの中心線９５ａは線分ａと恒常的に直角方向を保っている。
【００１５】
図２は磁気テープ８８が矢印８８ａで示される第１走行方向に走行している状態を示す。支持板７４はヘッドサポート９１と共にテープ８８の方へ移動させられ、テープ８８はテープ案内９２、９２ｂに入り、磁気ヘッド７５と対面している。いま案内ピン９３は保持スロット９２ａの内側にあり、ヘッド７５の直接近傍でヘッドサポート９１への直接案内を構成する。ヘッドサポート９１は従って、傾斜した端縁９２ｄが案内ピン９３に当接し、テープと平行に配列される。この真直案内と案内レール９８との間の好ましくない相互作用を除去するために、案内アーム９４は孔９７を離れており、ピン９６がもはや溝孔９７によって案内されないファンネル領域９９に入っている。この第１作動状態で、押圧ローラ７９はキャプスタン１０に対して当接している。ホールダ７７は圧力のためにストッパ７４ｂから持ち上げられている。
【００１６】
テープの走行方向を変えるために、支持板７４は矢印１００の方向に戻され、操作ユニットは支持板７４の枢動方向が逆転したことを確認する。この枢動方向の調整は、図示されていない操作ユニットにより行われる。支持板７４が後戻りすると、ピン９６は再び溝孔９７内に戻る。支持板が再度磁気テープ８８方向に移動すると、ピン９６は再び溝孔９７を離れ、同時に案内ピン９３が保持スロット９２ａに入る。真直案内はこのようにして枠体１の端縁１ａにおいて案内レール９８から磁気ヘッド７５の直ぐ近傍へと再び移動する。図３に描かれた場合において、押圧ローラ７８はキャプスタン９に対して押圧され磁気テープは磁気ヘッド７５上を矢印８８ｂに示す反対方向、即ち左側方向に引張られる。ホールダ７６は、押圧ローラ７８がキャプスタン９に加える圧力から派生した圧力により、ストッパ７４ａから上方に持ち上げられる。
【００１７】
図４は磁気テープ８８が磁気ヘッド７５に軽く接しているテープの早送り位置を示す。この位置で、ピン９６はまだ溝孔９７の平行案内部の中にある。案内レール９８の領域での真直案内はまだ有効に働いており、従って保持スロット９２ａと共にある案内ピン９３の領域での真直案内もまた有効に作用している。磁気ヘッド７５と共にあるサポート９１は従って磁気ヘッド７５が磁気テープ８８の走行方向に対して中央線７５ａの位置で直角になるように案内されている。支持板７４がテープ走行方向に対して枢着されているか否かに関わりなく、磁気ヘッドが常に磁気テープ８８に対して最も良い位置をとることが、安全を保つことになる。
【００１８】
図５は案内ピン９３と保持スロット９２ａとの関連がより良く理解出来るように、ヘッドサポートの断面を拡大して示したものである。図１において、支持板７４はヘッドサポート９１とともに待機位置に戻っている。この場合、保持スロット９２ａと案内ピン９３とは互いに遙かに離れている。このことが図５において拡大されて示される。支持板７４がヘッドサポート９１と共に再生位置に入ると、これがテープの第１又は第２走行位置にあるかどうかに関わりなく、保持スロット９２ａが案内ピン９３の上に移動する。この位置は図６に示されるように、上方の真直案内９２ａ／９３及びストッパ９２ｄが磁気ヘッド７５の位置を規定することになる。ヘッドサポート９１には枠体に固定された止め部即ち案内ピン９３とくさび状に係合されるストッパ即ち傾斜端縁９２ｄが形成され、この端縁のくさび効果により、ヘッドサポート９１／磁気ヘッド７５が枠体１とヘッドサポート９１との間を駆動される時にプレイフリー状態での位置決めが可能になる。
【００１９】
図７は図４に示す早送りに至る中間位置を示す。この場合、保持スロット９２ａはある距離だけ元に戻っている。ピン９３の壁面９３ａはまだスロット壁９２ｅと接触しているので、保持スロット９２ａの案内はまだ続けられている。
【図面の簡単な説明】
【図１】本発明による磁気テープカセット装置の駆動部分がテープ走行について待機位置にある状態を、磁気ヘッドを案内している支持板とともに示す。
【図２】駆動部分が第１走行方向への再生位置にある状態を支持板及び磁気ヘッドと共に示す。
【図３】駆動部分が第２の逆転走行方向への再生位置にある状態を、支持板及び磁気ヘッドと共に示す。
【図４】駆動部分が早送り走行位置にある状態を支持板及び磁気ヘッドと共に示す。
【図５】磁気ヘッド前後での真直案内の操作原理を拡大して示したもののうち、待機位置にあるものを示す。
【図６】磁気ヘッド前後での真直案内の操作原理を拡大して示したもののうち、再生位置にあるものを示す。
【図７】磁気ヘッド前後での真直案内の操作原理を拡大して示したもののうち、早送り位置にあるものを示す。
【符号の説明】
１  枠体
２  サポート
３  モータ
９，１０  キャプスタン
１１，１５  歯車
１４  スイッチングホイール
１６，１９  枢着アーム
２０，  ２１  スプールハブ
２４，２５  再生用ホイール
３１，３２  ボタン
７１  スタッド
７２  葉状バネ
７４  支持板
７６，７７  ホールダ
７８，  ７９  押圧ローラ
８８  磁気テープ
９０  枢着スピンドル
９１  ヘッドサポート
９２，  ９２ｂ  テープ案内
９２ｄ  ストッパ
９３  案内ピン
９４  案内アーム
９７  溝孔
９９  ファンネル
【図１】
0003586489.tif 000002
【図２】
0003586489.tif 000003
【図３】
0003586489.tif 000004
【図４】
0003586489.tif 000005
【図５】
0003586489.tif 000006
【図６】
0003586489.tif 000007
【図７】
0003586489.tif 000008